(57)【要約】      （修正有）【課題】タンクやフレームの成形精度に影響されることなく、駆動装置を液体から保護することができる動力噴霧機を提供する。【解決手段】動力噴霧機であって、箱状または筒状のフレーム１０と、フレーム１０の上面１３ａに取り付けられたタンクと、フレーム１０の内部空間１０ａに収容された駆動装置３０と、駆動装置３０から供給された液体を噴霧するノズルと、を備えている。駆動装置３０は、タンク内の液体を吸入してノズル４０に供給するポンプと、ポンプを駆動させる電動モータと、電動モータに電力を供給するバッテリと、を有している。フレーム１０の上面１３ａには上面開口部１３ｃが形成されるとともに、上面開口部１３ｃの外周に止水壁１３ｄが形成されている。【選択図】図３
2015136649.tif 000002
【特許請求の範囲】
【請求項１】
箱状または筒状のフレームと、
前記フレームの上面に取り付けられたタンクと、
前記フレームの内部空間に収容された駆動装置と、
前記駆動装置から供給された液体を噴霧するノズルと、を備え、
前記駆動装置は、
前記タンク内の液体を吸入して前記ノズルに供給するポンプと、
前記ポンプを駆動させる電動モータと、
前記電動モータに電力を供給するバッテリと、を有し、
前記フレームの上面には、上面開口部が形成されるとともに、前記上面開口部の外周に止水壁が形成されていることを特徴とする動力噴霧機。
【請求項２】
前記フレームの上面には、前記止水壁の少なくとも一部に沿って排水溝が形成されていることを特徴とする請求項１に記載の動力噴霧機。
【請求項３】
前記フレームには、排水路が設けられており、
前記排水路の上端部は、前記フレームの上面に開口し、下端部は前記フレームの下部に開口していることを特徴とする請求項１または請求項２に記載の動力噴霧機。
【請求項４】
前記排水路は、前記フレーム内に形成されていることを特徴とする請求項３に記載の動力噴霧機。
【請求項５】
前記タンクおよび前記フレームの前面に背当て部が設けられており、
前記排水路は、前記フレームの後部に形成されていることを特徴とする請求項３または請求項４に記載の動力噴霧機。
【請求項６】
前記バッテリはバッテリハウジング内に収容され、
前記バッテリハウジングの側面には側面開口部が形成されており、
前記バッテリハウジングの上面には仕切り壁が形成され、
前記仕切り壁によって、前記バッテリハウジングの上面が前記側面開口部側の領域と、前記フレームの中央側の領域と、に仕切られていることを特徴とする請求項１から請求項５のいずれか一項に記載の動力噴霧機。
【請求項７】
前記バッテリはバッテリハウジング内に収容され、
前記バッテリハウジングの側面には側面開口部が形成されており、
前記フレームの側面には前記側面開口部に通じるバッテリ出入口が形成され、
前記フレームの側面において前記バッテリ出入口の上方には庇が形成されていることを特徴とする請求項１から請求項５のいずれか一項に記載の動力噴霧機。
【請求項８】
前記電動モータはモータカバー内に収容されていることを特徴とする請求項１から請求項７のいずれか一項に記載の動力噴霧機。
【発明の詳細な説明】
【技術分野】
【０００１】
本発明は、薬液等の液体を噴霧するための動力噴霧機に関する。
【背景技術】
【０００２】
薬液等の液体を噴霧するための動力噴霧機としては、タンクと、タンクの下部に組み付けられた駆動装置と、駆動装置から供給された液体を噴霧するノズルと、を備え、電動モータによってポンプを駆動させているものがある（例えば、特許文献１参照）。
【０００３】
また、前記した電動式の動力噴霧機としては、筒状のフレームの上面にタンクが取り付けられており、フレーム内に駆動装置が収容されているものがある。このような動力噴霧機では、フレームの上面開口部を通じて、タンクと駆動装置のポンプとがホースによって連結されている。
【先行技術文献】
【特許文献】
【０００４】
【特許文献１】特開２００６−０１５２０８号公報
【発明の概要】
【発明が解決しようとする課題】
【０００５】
前記した従来の動力噴霧機では、使用者がタンクの上部に形成された給水口に液体を注入したときに、液体がタンクの外面に漏れると、液体がタンクの外面を伝って、タンクとフレームとの継ぎ目からフレーム内に流入する場合がある。そして、フレーム内に液体が流入すると、モータやバッテリ等の電気部品に影響を与える可能性がある。
【０００６】
そこで、タンクとフレームとの継ぎ目に隙間が形成されないように、タンクおよびフレームの成形精度を高めることが望ましいが、樹脂製のタンクやフレームの成形精度を高めるのは難しい。特に、薬液用のタンクはブロー成形によって成形される場合が多く、この場合には寸法精度の向上が難しい。
また、タンクとフレームとの間にゴムパッキン等のシール部材を設けて防水した場合には、部品点数が増加したり、シール部材が劣化したりするという問題がある。
【０００７】
本発明は、前記した問題を解決し、タンクやフレームの成形精度に影響されることなく、駆動装置を液体から保護することができる動力噴霧機を提供することを課題とする。
【課題を解決するための手段】
【０００８】
前記課題を解決するため、本発明は、動力噴霧機であって、箱状または筒状のフレームと、前記フレームの上面に取り付けられたタンクと、前記フレームの内部空間に収容された駆動装置と、前記駆動装置から供給された液体を噴霧するノズルと、を備えている。前記駆動装置は、前記タンク内の液体を吸入して前記ノズルに供給するポンプと、前記ポンプを駆動させる電動モータと、前記電動モータに電力を供給するバッテリと、を有している。前記フレームの上面には、上面開口部が形成されるとともに、前記上面開口部の外周に止水壁が形成されている。
【０００９】
この構成では、タンクとフレームとの継ぎ目からフレームの上面に液体が流入しても、止水壁によって液体が堰き止められるため、上面開口部からフレーム内に液体が流入するのを防ぐことができる。したがって、タンクやフレームの成形精度に影響されることなく、駆動装置を液体から保護することができる。
また、タンクとフレームとの間にシール部材を設ける必要がないため、動力噴霧機の部品点数を少なくすることができるとともに、シール部材の劣化を考慮する必要がなくなる。
【００１０】
前記した動力噴霧機において、前記止水壁の少なくとも一部に沿って、前記フレームの上面に排水溝を形成した場合には、フレームの上面に流入した液体は排水溝に流入するため、上面開口部からフレーム内に液体が流入するのを確実に防ぐことができる。
【００１１】
前記した動力噴霧機において、前記フレームに排水路が設け、前記排水路の上端部を前記フレームの上面に開口させ、下端部を前記フレームの下部に開口させてもよい。
この構成では、フレームの上面に流入した液体を、排水路を通じてフレームの下部から外部に排出することができる。
さらに、前記排水路を前記フレーム内に形成した場合には、フレームの外面が液体で汚れるのを防ぐことができる。
【００１２】
さらに、前記タンクおよび前記フレームの前面に背当て部が設けられている場合には、前記排水路を前記フレームの後部に形成することで、動力噴霧機を背負った使用者から離れた位置に液体を排水することが望ましい。
【００１３】
前記した動力噴霧機において、前記バッテリはバッテリハウジング内に収容され、前記バッテリハウジングの側面に側面開口部が形成されている場合には、前記バッテリハウジングの上面には仕切り壁を形成し、前記仕切り壁によって、前記バッテリハウジングの上面を、前記側面開口部側の領域と、前記フレームの中央側の領域と、に仕切ることが望ましい。
【００１４】
この構成では、仮にバッテリハウジングの上面に液体が流入したとしても、仕切り壁によって側面開口部側に液体が流れるのを防ぐことができるため、側面開口部に液体が流入するのを防ぐことができる。
【００１５】
前記した動力噴霧機において、前記バッテリがバッテリハウジング内に収容され、前記バッテリハウジングの側面に側面開口部が形成されており、前記フレームの側面に前記側面開口部に通じるバッテリ出入口が形成されている場合には、前記フレームの側面において前記バッテリ出入口の上方に庇を形成することが望ましい。
この構成では、フレームの外面に流れた液体がバッテリ出入口に流入するのを庇によって防ぐことができる。
【００１６】
前記した動力噴霧機では、前記電動モータをモータカバー内に収容することで、電動モータを液体から保護することが望ましい。
【発明の効果】
【００１７】
本発明の動力噴霧機では、フレームの上面に液体が流入しても、上面開口部からフレーム内に液体が流入するのを防ぐことができるため、駆動装置を液体から保護することができる。
【図面の簡単な説明】
【００１８】
【図１】本実施形態の動力噴霧機を示した斜視図である。
【図２】本実施形態の動力噴霧機を示した正面図である。
【図３】本実施形態のフレームおよび駆動装置を示した斜視図である。
【図４】本実施形態のフレームおよび駆動装置を示した平面図である。
【図５】本実施形態のフレームを示した側断面図である。
【図６】本実施形態の駆動装置を示した斜視図である。
【発明を実施するための形態】
【００１９】
本発明の実施形態について、適宜図面を参照しながら詳細に説明する。
本実施形態では、図２に示すように、タンク２０内に貯留された薬液等の液体をノズル４０から噴霧する背負い式の動力噴霧機１について説明する。
なお、以下の説明において前後左右方向とは、動力噴霧機１の各部を説明する上で便宜上設定したものであり、動力噴霧機１の構造を特定するものではない。
【００２０】
動力噴霧機１は、図２に示すように、箱状のフレーム１０と、フレーム１０の頂板１３に取り付けられたタンク２０と、フレーム１０の内部空間に収容された駆動装置３０と、駆動装置３０から供給された液体を噴霧するノズル４０と、を備えている。なお、図２ではフレーム１０を断面で示している。
【００２１】
タンク２０は、図１に示すように、液体を貯留するための樹脂製の容器である。タンク２０はブロー成形によって形成されている。
タンク２０の上端部には、タンク２０内に液体を注入するための注入口が形成されており、注入口には蓋部材２１が着脱自在に取り付けられている。
また、タンク２０の下部には、後記するポンプ３１に液体を供給するための排水口（図示せず）が設けられており、排水口には吸入用ホース（図示せず）の一端が連結されている。
【００２２】
フレーム１０は、図３に示すように、略直方体の樹脂製の箱体であり、底板１１と、筒状の側周壁１２と、頂板１３とから構成されている。フレーム１０は射出成形によって形成されている。フレーム１０の内部空間１０ａには駆動装置３０が収容されている。
【００２３】
図２に示すように、頂板１３の上面１３ａにはタンク２０が載置される。頂板１３の外周縁部には外周壁１３ｂ（図３参照）が立設されている。頂板１３の外周形状と、タンク２０の下部の外周形状とは略同じである。したがって、図１に示すように、頂板１３の上面１３ａにタンク２０を載置した状態では、側周壁１２の外面とタンク２０の外面とが略面一に接続される。
また、頂板１３の前部には、タンク２０を固定するための固定部１４（図３参照）が設けられている。この固定部１４に対してタンク２０がボルト等の固定手段によって連結される。
【００２４】
頂板１３の上面１３ａは、図３に示すように、前後方向の略中間部を境にして、前部よりも後部が下方に形成されている。このように、頂板１３の上面１３ａには段差が形成されている。
【００２５】
頂板１３の中央部には上面開口部１３ｃが開口している。上面開口部１３ｃは左右方向に幅広な略長方形に形成されている。上面開口部１３ｃは、図２に示すように、タンク２０と駆動装置３０のポンプ３１を連結するために吸入用ホース（図示せず）が通される開口部である。
図３に示すように、上面開口部１３ｃの周縁部には止水壁１３ｄが立設されている。本実施形態では、上面開口部１３ｃの周縁部において固定部１４以外の部位に、上部開口部１３ｃを取り囲むように止水壁１３ｄが形成されている。
【００２６】
頂板１３の上面１３ａにおいて、止水壁１３ｄと外周縁部（外周壁１３ｂ）との間には、排水溝１５が形成されている。排水溝１５は凹状に窪んだ溝である。排水溝１５は、図４に示すように、上面開口部１３ｃの左右両側縁部に沿って形成された左右の溝部１５ａ，１５ａと、上面開口部１３ｃの前縁部に沿って形成された前側の溝部１５ｂと、が連続して形成されている。排水溝１５は全体として平面視でＵ字形状に形成されている。
【００２７】
側周壁１２の前部の内面には、図５に示すように、筒状の排水路１６が形成されている。排水路１６は、側周壁１２の前部の左右方向の中央部に形成されている（図４参照）。
排水路１６は上下方向に延びている。そして、排水路１６の上端部は排水溝１５の前側の溝部１５ｂに連通している。また、排水路１６の下端部は底板１１の下面に開口している。
【００２８】
側周壁１２の左側面には、図３に示すように、フレーム１０内にバッテリ３３を出し入れするためのバッテリ出入口１７が開口している。バッテリ出入口１７には蓋板１７ａが開閉自在に取り付けられている。
側周壁１２の外面において、バッテリ出入口１７の上方となる位置には、庇１７ｂが突設されている。
【００２９】
また、側周壁１２左側面において、バッテリ出入口１７の前側となる位置には、駆動装置３０の起動停止や出力等を操作するためのスイッチ類１８が設けられている。
側周壁１２の外面において、スイッチ類１８の上方となる位置には、庇１８ａが突設されている。
【００３０】
駆動装置３０は、図２に示すように、タンク２０内の液体を吸入してノズル４０に供給するポンプ３１と、ポンプ３１を駆動させる電動モータ３２と、電動モータ３２に電力を供給するバッテリ３３と、電動モータ３２の駆動を制御する制御基板３４と、を備えている。駆動装置３０を構成する各装置はフレーム１０の内部空間１０ａに収容されている。
【００３１】
ポンプ３１は、タンク２０内に貯留された液体を吸入してノズル４０に送り込むものである。ポンプ３１は、フレーム１０の内部空間１０ａの右側の領域に配置されており、底板１１の上面に固定されている。
ポンプ３１の吸入口には吸入用ホース（図示せず）の他端が連結されている。このように、ポンプ３１とタンク２０とは吸入用ホースによって連結されており、ポンプ３１は吸入用ホースを通じてタンク２０内の液体を吸入する。
また、ポンプ３１の吐出口には、ノズル４０の把持部４２から延ばされた送水用ホース４１の一端が連結されている。
【００３２】
電動モータ３２は、ポンプ３１の駆動源である。電動モータ３２は、フレーム１０の内部空間１０ａの左右方向の中央部よりも右寄りの領域に配置されており、底板１１の上面に固定されている。電動モータ３２の出力軸（図示せず）はポンプ３１の入力部に連結されている。
電動モータ３２はモータカバー３２ａ内に収容されている。すなわち、電動モータ３２は、モータカバー３２ａによって覆われた空間に収容されている。
【００３３】
フレーム１０の内部空間の左側の領域には、バッテリ３３を収容するためのバッテリハウジング３５が設けられている。また、バッテリハウジング３５内の上部には、制御基板３４を収容するための基板収容部３５ｄが形成されている。
【００３４】
バッテリハウジング３５の左側面には側面開口部３５ａが開口している。この側面開口部３５ａは、フレーム１０のバッテリ出入口１７に連通している。そして、バッテリ出入口１７および側面開口部３５ａを通じて、バッテリハウジング３５内にバッテリ３３を出し入れすることができる。
【００３５】
図６に示すように、バッテリハウジング３５の上面３５ｂには複数の仕切り壁３５ｃが立設されている。仕切り壁３５ｃは前後方向に延びており、バッテリハウジング３５の上面３５ｂの前後の縁部に亘って形成されている。図２に示すように、各仕切り壁３５ｃによって、バッテリハウジング３５の上面３５ｂが側面開口部３５ａ側の領域と、フレーム１０の中央側の領域とに仕切られている。
また、各仕切り壁３５ｃは、頂板１３の上面開口部１３ｃの周縁部よりも外側となる位置に配置されている。
【００３６】
本実施形態の動力噴霧機１では、図１に示すタンク２０およびフレーム１０の前面に背負い用の背当て板（図示せず）が取り付けられる。使用者は背当て板に設けられたベルトを肩に掛けることで、動力噴霧機１を背負うことができる。このように、動力噴霧機１の前側に使用者が配置されることになる。そして、使用者は図２に示すノズル４０の把持部４２に設けられたレバー４３を操作して、ノズル４０の先端に設けられた噴出部４４から液体を噴霧する。
【００３７】
以上のような動力噴霧機１では、図２に示すように、使用者がタンク２０の上部に形成された給水口（図示せず）に液体を注入したときに、タンク２０の外面に漏れた液体がタンク２０とフレーム１０との継ぎ目からフレーム１０の頂板１３の上面１３ａに流入した場合であっても、図４に示すように、頂板１３の上面１３ａに流入した液体は、止水壁１３ｄに堰き止められるため、液体が上面開口部１３ｃ内に流入するのを防ぐことができる。また、液体は排水溝１５に流入し、排水溝１５を通じて頂板１３の前部に流れる。そして、頂板１３の前部において、液体は排水溝１５から排水路１６に流入し、図５に示すように、排水路１６を通じて底板１１の下面から外部に排水される。
【００３８】
本実施形態の動力噴霧機１では、図４に示すように、タンク２０とフレーム１０との継ぎ目からフレーム１０の頂板１３の上面１３ａに液体が流入しても、止水壁１３ｄによって液体が堰き止められるため、上面開口部１３ｃからフレーム１０内に液体が流入するのを防ぐことができる。
また、頂板１３の上面１３ａに流入した液体は、排水溝１５および排水路１６を通じてフレーム１０の外部に排出されることになる（図５参照）。
したがって、動力噴霧機１では、図２に示すように、タンク２０やフレーム１０の成形精度に影響されることなく、駆動装置３０を液体から保護することができる。
また、タンク２０とフレーム１０との間にシール部材を設ける必要がないため、動力噴霧機１の部品点数を少なくすることができる。
【００３９】
また、排水路１６は、図５に示すように、フレーム１０の側周壁１２の内面に形成されているため、フレーム１０の外面が液体で汚れるのを防ぐことができる。
さらに、排水路１６は、フレーム１０の後部に形成されているため、動力噴霧機１を背負った使用者から離れた位置に液体を排水することができる。
【００４０】
また、図２に示す動力噴霧機１では、仮にフレーム１０の上面に液体が流入した状態で、フレーム１０が大きく傾斜したり、フレーム１０の上面１３ａに大量に液体が流入したりすると、図６に示す止水壁１３ｄを越えて、上面開口部１３ｃからバッテリハウジング３５の上面３５ｂに液体が流れる可能性がある。この場合でも、バッテリハウジング３５の上面３５ｂに形成された各仕切り壁３５ｃによって液体が堰き止められるため、バッテリハウジング３５の側面開口部３５ａ側に液体が流れるのを防ぐことができる。
なお、各仕切り壁３５ｃに堰き止められた液体は、バッテリハウジング３５の上面３５ｂの前後の縁部から底板１１の上面に流れる。そして、底板１１に形成された複数の排水口１１ａを通じて、底板１１の下面から外部に排水される。
【００４１】
また、動力噴霧機１では、図１に示すように、フレーム１０の側面においてバッテリ出入口１７の上方およびスイッチ類１８の上方に庇１７ｂ，１８ａがそれぞれ形成されているため、フレーム１０の外面に流れた液体がバッテリ出入口１７およびスイッチ類１８に流入したり、表面が濡れたりするのを防ぐことができる。
【００４２】
また、動力噴霧機１では、図２に示すように、バッテリ３３および制御基板３４はバッテリハウジング３５内に収容され、電動モータ３２はモータカバー３２ａ内に収容されているため、電気部品を液体から確実に保護することができる。
【００４３】
以上、本発明の実施形態について説明したが、本発明は前記実施形態に限定されることなく、その趣旨を逸脱しない範囲で適宜に変更が可能である。
例えば、本実施形態では、図４に示すように、フレーム１０の頂板１３の上面１３ａに、止水壁１３ｄ、排水溝１５および排水路１６の開口部が形成されているが、頂板１３の上面１３ａには少なくとも止水壁１３ｄが形成されていればよい。また、頂板１３の上面１３ａの前後方向に段差を設けることなく、上面を平坦に形成してもよい。
【００４４】
また、本実施形態では、上面開口部１３ｃの周縁部に止水壁１３ｄが形成されているが、上面開口部１３ｃの周縁部と止水壁１３ｄとが離れていてもよい。すなわち、頂板１３の上面１３ａにおいて、上面開口部１３ｃの外周となる領域に止水壁１３ｄが形成されていればよい。
【００４５】
また、本実施形態では、図３に示すように、箱状のフレーム１０を用いているが、フレーム１０の底板１１および頂板１３が大きく開口している筒状のフレームを用いてもよい。
【００４６】
また、本実施形態では、図５に示すように、排水路１６がフレーム１０内の後部に形成されているが、筒状の排水路１６をフレーム１０の外面に形成してもよく、その位置も限定されるものではない。
また、排水路の形状や構成も限定されるものではなく、例えば、排水路を角筒状の部材を用いて形成し、その排水路をフレーム１０に取り付けてもよい。さらに、フレーム１０の外面に凹状の排水路を形成してもよい。
また、本実施形態では、排水路１６の下端部がフレーム１０の下面に開口しているが、フレーム１０の側面の下部に開口してもよい。
【符号の説明】
【００４７】
１      動力噴霧機
１０    フレーム
１１    底板
１２    側周壁
１３    頂板
１３ａ  上面
１３ｂ  外周壁
１３ｃ  上面開口部
１３ｄ  止水壁
１５    排水溝
１６    排水路
１７    バッテリ出入口
１７ａ  蓋板
１７ｂ  庇
１８    スイッチ類
１８ａ  庇
２０    タンク
２１    蓋部材
３０    駆動装置
３１    ポンプ
３２    電動モータ
３２ａ  モータカバー
３３    バッテリ
３４    制御基板
３５    バッテリハウジング
３５ａ  側面開口部
３５ｂ  上面
３５ｃ  仕切り壁
３５ｄ  基板収容部
４０    ノズル
４１    送水用ホース
【図１】
2015136649.tif 000003
【図２】
2015136649.tif 000004
【図３】
2015136649.tif 000005
【図４】
2015136649.tif 000006
【図５】
2015136649.tif 000007
【図６】
2015136649.tif 000008